(57)【特許請求の範囲】
【請求項１】
筐体状をなす装置本体と、
当該装置本体の外部に設けられるとともに長尺状の記録媒体をロール状に巻き重ねたロール体を収容可能なロール体収容部と、
前記装置本体の内部に設けられるとともに前記ロール体収容部に収容された前記ロール体から巻き解かれて搬送方向の上流側から下流側に搬送される前記記録媒体に対して記録を施す記録ヘッドと、
当該記録ヘッドにより記録が施された前記記録媒体を前記装置本体外に反転させて排出する排出搬送手段と、
当該排出搬送手段により排出された前記記録媒体が反転された状態で載置される載置部と、を備え、
当該載置部は、前記装置本体の上面と前記ロール体収容部における鉛直方向の上側面とを含んで構成され、
前記装置本体の上面における前記記録媒体の排出方向と交差する幅方向の大きさが、前記ロール体収容部の前記上側面における前記記録媒体の排出方向と交差する幅方向の大きさよりも大きく形成されているとともに、前記装置本体の上面における幅方向の両端部分が前記ロール体収容部の前記上側面を幅方向の両側から挟むように前記記録媒体の排出方向に沿って延設されている
ことを特徴とする記録装置。
【請求項２】
前記ロール体収容部における前記記録媒体の排出経路の下流端に対応する位置に、前記記録媒体の下流側への移動を規制する規制手段を更に備えた
ことを特徴とする請求項１に記載の記録装置。
【請求項３】
筐体状をなす装置本体と、
当該装置本体の外部に設けられるとともに長尺状の記録媒体をロール状に巻き重ねたロール体を収容可能なロール体収容部と、
前記装置本体の内部に設けられるとともに前記ロール体収容部に収容された前記ロール体から巻き解かれて搬送方向の上流側から下流側に搬送される前記記録媒体に対して記録を施す記録ヘッドと、
当該記録ヘッドにより記録が施された前記記録媒体を前記装置本体外に反転させて排出する排出搬送手段と、
当該排出搬送手段により排出された前記記録媒体が反転された状態で載置される載置部と、を備え、
当該載置部は、前記装置本体の上面と前記ロール体収容部における鉛直方向の上側面とを含んで構成され、
前記ロール体収容部における前記記録媒体の排出経路の下流端に対応する位置に、前記記録媒体の下流側への移動を規制する規制手段を更に備えた
ことを特徴とする記録装置。
【請求項４】
前記装置本体の上面における前記記録媒体の排出方向と交差する幅方向の大きさが、前記ロール体収容部の前記上側面における前記記録媒体の排出方向と交差する幅方向の大きさよりも大きく形成されているとともに、前記装置本体の上面における幅方向の両端部分が前記ロール体収容部の前記上側面を幅方向の両側から挟むように前記記録媒体の排出方向に沿って延設されている
ことを特徴とする請求項３に記載の記録装置。
【請求項５】
前記ロール体収容部は、該ロール体収容部の前記上側面が前記装置本体の上面よりも鉛直方向下方に位置するように配置されている
ことを特徴とする請求項１〜請求項４の何れか一項に記載の記録装置。
【請求項６】
前記ロール体収容部は、前記上側面を形成する上側ケース部及びこの上側ケース部との間に前記ロール体の収容空間を形成可能な下側ケース部とを備え、前記上側ケース部は、前記下側ケース部と当接することにより当該上側ケース部の前記上側面に前記記録媒体を載置可能な第１回動位置と、前記下側ケース部から離間することにより前記収容空間を外部に開放する位置状態となる第２回動位置との間を回動可能である
ことを特徴とする請求項１〜請求項５の何れか一項に記載の記録装置。
【請求項７】
前記装置本体の上面における前記記録媒体を排出する排出口よりも前記記録媒体の排出方向の下流側に対応する位置であって、且つ前記排出口から排出された前記記録媒体の排出方向の先端部が前記装置本体の上面と接触する位置よりも上流側である位置に、前記記録媒体の排出方向と交差する方向に沿って延びる凹状の溝が形成されている
ことを特徴とする請求項１〜請求項６の何れか一項に記載の記録装置。
【発明の詳細な説明】
【技術分野】
【０００１】
本発明は、記録装置に関する。
【背景技術】
【０００２】
従来、記録装置の一種であるプリンターには、連続して記録を行うために長尺状の記録媒体をロール状に巻き重ねたロール体を用いるものがあった（例えば、特許文献１）。
この特許文献１に記載のプリンターは、ロール体を回転可能に保持する装着部と、搬送される記録媒体に記録を施す記録ヘッドとを備えている。そして、装着部に保持されたロール体から巻き解かれた記録媒体が搬送経路を通じて搬送される途中で記録ヘッドにより記録を施されるようになっていた。
【先行技術文献】
【特許文献】
【０００３】
【特許文献１】特開２００３−１４５８９９号公報
【発明の概要】
【発明が解決しようとする課題】
【０００４】
ところで、特許文献１の記録装置では、記録が施された記録媒体が、記録装置におけるロール体の装着部が設けられた第一側面とは反対側となる第二側面に形成された排出口から記録装置外に排出されていた。そのため、排出口から排出された記録媒体を載置する載置台などを記録装置の排出口が形成された第二側面側に設置すると、載置台も含めた記録装置全体の設置面積が記録媒体の搬送方向に関して大きくなってしまうという問題があった。
【０００５】
本発明は、このような課題に鑑みてなされたものであり、その目的は、記録媒体の搬送方向に関して装置の大型化を抑制することができる記録装置を提供することにある。
【課題を解決するための手段】
【０００６】
上記目的を達成するために、本発明の記録装置は、筐体状をなす装置本体と、当該装置本体の外部に設けられるとともに長尺状の記録媒体をロール状に巻き重ねたロール体を収容可能なロール体収容部と、前記装置本体の内部に設けられるとともに前記ロール体収容部に収容された前記ロール体から巻き解かれて搬送方向の上流側から下流側に搬送される前記記録媒体に対して記録を施す記録ヘッドと、当該記録ヘッドにより記録が施された前記記録媒体を前記装置本体外に反転させて排出する排出搬送手段と、当該排出搬送手段により排出された前記記録媒体が反転された状態で載置される載置部と、を備え、当該載置部は、前記装置本体の上面と前記ロール体収容部における鉛直方向の上側面とを含んで構成され、前記装置本体の上面における前記記録媒体の排出方向と交差する幅方向の大きさが、前記ロール体収容部の前記上側面における前記記録媒体の排出方向と交差する幅方向の大きさよりも大きく形成されているとともに、前記装置本体の上面における幅方向の両端部分が前記ロール体収容部の前記上側面を幅方向の両側から挟むように前記記録媒体の排出方向に沿って延設されている。
【０００７】
この構成によれば、記録が施されて記録装置外に排出された長尺状の記録媒体を装置本体の上面とロール体収容部における鉛直方向の上側面とに亘って載置することができるため、排出された記録媒体を載置するための載置台を装置本体に対して記録媒体の搬送方向に連続するように設置する必要がなくなる。したがって、記録媒体の搬送方向における記録装置の大型化を抑制することができる。
また、この構成によれば、装置本体の上面における幅方向に延設された両端部分が、排出経路に沿って排出される記録媒体の幅方向の位置を規制するガイドとして機能するため、長尺状の記録媒体を正確にロール体収容部の上側面に導き且つ載置することができる。
本発明の記録装置は、前記ロール体収容部における前記記録媒体の排出経路の下流端に対応する位置に、前記記録媒体の下流側への移動を規制する規制手段を更に備えた。
この構成によれば、載置部に複数の長尺状の記録媒体を積層する場合であっても、載置されている記録媒体が排出中の記録媒体の移動に伴ってさらに排出経路の下流側に移動することが規制される。したがって、載置された記録媒体が排出経路の下流側から落下することを抑制することができる。
上記目的を達成するために、本発明の記録装置は、筐体状をなす装置本体と、当該装置本体の外部に設けられるとともに長尺状の記録媒体をロール状に巻き重ねたロール体を収容可能なロール体収容部と、前記装置本体の内部に設けられるとともに前記ロール体収容部に収容された前記ロール体から巻き解かれて搬送方向の上流側から下流側に搬送される前記記録媒体に対して記録を施す記録ヘッドと、当該記録ヘッドにより記録が施された前記記録媒体を前記装置本体外に反転させて排出する排出搬送手段と、当該排出搬送手段により排出された前記記録媒体が反転された状態で載置される載置部と、を備え、当該載置部は、前記装置本体の上面と前記ロール体収容部における鉛直方向の上側面とを含んで構成され、前記ロール体収容部における前記記録媒体の排出経路の下流端に対応する位置に、前記記録媒体の下流側への移動を規制する規制手段を更に備えた。
この構成によれば、記録が施されて記録装置外に排出された長尺状の記録媒体を装置本体の上面とロール体収容部における鉛直方向の上側面とに亘って載置することができるため、排出された記録媒体を載置するための載置台を装置本体に対して記録媒体の搬送方向に連続するように設置する必要がなくなる。したがって、記録媒体の搬送方向における記録装置の大型化を抑制することができる。
また、この構成によれば、載置部に複数の長尺状の記録媒体を積層する場合であっても、載置されている記録媒体が排出中の記録媒体の移動に伴ってさらに排出経路の下流側に移動することが規制される。したがって、載置された記録媒体が排出経路の下流側から落下することを抑制することができる。
【０００９】
本発明の記録装置は、前記装置本体の上面における前記記録媒体の排出方向と交差する幅方向の大きさが、前記ロール体収容部の前記上側面における前記記録媒体の排出方向と交差する幅方向の大きさよりも大きく形成されているとともに、前記装置本体の上面における幅方向の両端部分が前記ロール体収容部の前記上側面を幅方向の両側から挟むように前記記録媒体の排出方向に沿って延設されている。
【００１０】
この構成によれば、装置本体の上面における幅方向に延設された両端部分が、排出経路に沿って排出される記録媒体の幅方向の位置を規制するガイドとして機能するため、長尺状の記録媒体を正確にロール体収容部の上側面に導き且つ載置することができる。
本発明の記録装置において、前記ロール体収容部は、該ロール体収容部の前記上側面が前記装置本体の上面よりも鉛直方向下方に位置するように配置されている。
この構成によれば、記録媒体が排出される載置部において記録媒体の載置面となる面は、記録媒体の排出方向の上流側に位置する面よりも下流側に位置する面の方が鉛直方向下方に位置することになる。そのため、長尺状の記録媒体を排出する場合であっても、記録媒体は自身が有する重力によって排出方向の下流側に移動することができる。したがって、長尺状の記録媒体を円滑に排出することができる。
【００１１】
本発明の記録装置において、前記ロール体収容部は、前記上側面を形成する上側ケース部及びこの上側ケース部との間に前記ロール体の収容空間を形成可能な下側ケース部とを備え、前記上側ケース部は、前記下側ケース部と当接することにより当該上側ケース部の前記上側面に前記記録媒体を載置可能な第１回動位置と、前記下側ケース部から離間することにより前記収容空間を外部に開放する位置状態となる第２回動位置との間を回動可能である。
【００１２】
この構成によれば、ロール体収容部の上側ケース部を第２回動位置に回動させることにより、ロール体収容部に収容されているロール体の交換を容易に行うことができる。したがって、ロール体収容部は、その上側ケース部を第１回動位置と第２回動位置との間で回動させることにより、記録媒体の排出時における載置部としての機能と、長尺状の記録媒体をロール状に巻き重ねたロール体を着脱交換の容易性を確保しつつ収容する収容部としての機能を両立することができる。
【００１４】
本発明の記録装置において、前記装置本体の上面における前記記録媒体を排出する排出口よりも前記記録媒体の排出方向の下流側に対応する位置であって、且つ前記排出口から排出された前記記録媒体の排出方向の先端部が前記装置本体の上面と接触する位置よりも上流側である位置に、前記記録媒体の排出方向と交差する方向に沿って延びる凹状の溝が形成されている。
【００１５】
この構成によれば、載置部において装置本体の上面に載置された記録媒体を容易に取り出すことができる。
【図面の簡単な説明】
【００１６】
【図１】（ａ）は本実施形態におけるインクジェット式プリンターの斜視図、（ｂ）は（ａ）の状態における同記録装置の概略断面図。
【図２】（ａ）はシートを載置したときの状態を示す同記録装置の斜視図、（ｂ）は（ａ）の状態における同記録装置の概略断面図。
【図３】（ａ）はロール体収容部の上側ケースが第２回動位置にあると共に下側ケースが第３回動位置にある状態を示す同記録装置の模式図、（ｂ）はロール体収容部の上側ケースが第２回動位置にあると共に下側ケースが第４回動位置にある状態を示す同記録装置の模式図。
【発明を実施するための形態】
【００１７】
以下、本発明を記録装置の一種であるインクジェット式プリンターに具体化した一実施形態を図１〜図３に基づいて説明する。なお、以下の説明において、「前後方向」、「上下方向」及び「左右方向」をいう場合は、特に説明がない限り、図１において矢印で示す「前後方向」、「上下方向」及び「左右方向」をいうものとする。なお、本実施形態では、上下方向を鉛直方向（重力方向）と同一方向として規定している。
【００１８】
図１及び図２に示すように、インクジェット式プリンター（以下、「プリンター」ともいう。）１１は、筐体状をなす装置本体１２を備えている。装置本体１２は、図１（ａ）に示すように、その上面１２ａが水平方向に沿った略矩形の平面状をなすように形成されると共に、その上面１２ａと後側面１２ｂとが交差する左右方向に延びた角部分の略中央には、上面１２ａ及び後側面１２ｂの双方に開口するように凹部１３が切り欠き形成されている。すなわち、装置本体１２の上面１２ａは、その幅方向（左右方向）の両端部分が後側面１２ｂ側において凹部１３を左右両側から挟んでシートＳの排出方向に沿って延びる延設部１４ａ，１４ｂとなるように形成されている。
【００１９】
そして、装置本体１２の後側面１２ｂにおいて凹部１３と左右方向で対応する位置には、連続紙など長尺状の記録媒体としてのシートＳ１をロール状に巻き重ねたロール体Ｒ１を内部に形成された収容空間に収容可能なロール体収容部１５が回動軸１６を介して回動自在に取り付けられている。すなわち、ロール体収容部１５は、常には図１及び図２に示すように、装置本体１２の外側であって且つこのロール体収容部１５の鉛直方向（上下方向）において上側となる上側面１５ａが装置本体１２の上面１２ａよりも上下方向において下方となるように配置されている。そして、収容空間に収容されたロール体Ｒ１が軸心を中心に回転することにより、シートＳ１が巻き解かれてロール体収容部１５から搬送方向の下流側に向かって搬送されるようになっている。
【００２０】
また、装置本体１２の後側面１２ｂの下部には、矩形板状に形成された開閉可能な開閉扉１７が設けられている。また、装置本体１２の内部における下方の位置であって且つ開閉扉１７の内側の位置には、ロール体収容部１５と同様に、長尺状のシートＳ２をロール状に巻き重ねたロール体Ｒ２を収容したトレイ１８が配置されている。このトレイ１８は鉛直方向（上下方向）と交差する方向（前後方向）に移動することによって装置本体１２外に取り出せるように構成されている。そして、トレイ１８に収容されたロール体Ｒ２が軸心を中心に回転することにより、シートＳ２が巻き解かれてトレイ１８から搬送方向の下流側に向かって搬送されるようになっている。
【００２１】
図１（ｂ）に示すように、装置本体１２内におけるトレイ１８の上方の位置には、ロール体Ｒ１又はロール体Ｒ２（以降、これらをまとめて「ロール体Ｒ」と示す）から巻き解かれて搬送されるシートＳ１又はシートＳ２（以降、これらをまとめて「シートＳ」と示す）を支持可能な平板状の支持板１９が配置されている。また、支持板１９の上方であって支持板１９と対向する位置には、駆動手段（図示略）によってシートＳの搬送方向と交差する方向（左右方向）に往復移動可能なキャリッジ２０が設けられている。このキャリッジ２０の下面には、記録ヘッド２１が支持されている。記録ヘッド２１の下面は、インクを噴射する複数のノズル（図示略）が開口する水平なノズル形成面になっている。そして、記録ヘッド２１は、支持板１９との間を通って搬送されるシートＳに対してインクを噴射することにより記録を施すようになっている。
【００２２】
また、装置本体１２内には、ロール体収容部１５及びトレイ１８に収容された各ロール体Ｒから巻き解かれたシートＳを搬送経路に沿って支持板１９上に搬送する搬送機構２２が設けられている。搬送機構２２は、ロール体収容部１５のロール体Ｒ１から巻き解かれたシートＳ１をその搬送経路に沿って受ける第１受板２３と、トレイ１８のロール体Ｒ２から巻き解かれたシートＳ２をその搬送経路に沿って受ける第２受板２４とを備えている。また、搬送機構２２は、シートＳ１及びシートＳ２のそれぞれの搬送経路に沿って配設されるとともにシートＳ１及びシートＳ２を支持板１９側へ搬送する複数の搬送ローラー２５〜３０と搬送ローラー対３１，３２とを備えている。そして、搬送機構２２は、シートＳ１の搬送経路及びシートＳ２の搬送経路を切り替えて、どちらか一方のシートを支持板１９側に搬送するようになっている。
【００２３】
さらに、装置本体１２内には、記録ヘッド２１によって記録が施されたシートＳを装置本体１２外に排出する排出搬送機構３３が設けられている。排出搬送機構３３は、記録ヘッド２１により記録が施されたシートＳを反転させる反転部３４と、シートＳを搬送する搬送ローラー対３５，３６とを備えている。反転部３４は、断面略円弧状をなす２枚の案内板３４ａ，３４ｂによって構成されているとともに、両案内板３４ａ，３４ｂは前後方向に間隔をあけて平行に配置されている。すなわち、両案内板３４ａ，３４ｂの間には、湾曲した反転経路が形成されている。また、両案内板３４ａ，３４ｂは、その両案内板３４ａ，３４ｂの上端部分が装置本体１２の上面１２ａよりも上下方向において上方に位置するように配置されている。搬送ローラー対３５は反転部３４における反転経路の上流端に対応する位置に配置されている。また、搬送ローラー対３６は反転経路の下流端に対応する位置に配置されている。すなわち、搬送ローラー対３６は、装置本体１２の上面１２ａよりも上下方向において上方に配置されている。
【００２４】
そして、記録ヘッド２１により記録が施されたシートＳは、下流側に搬送されるとともに反転部３４の反転経路を通過することによって表裏両面が反転される。そして、反転されたシートＳは、装置本体１２の前側であって且つ上面１２ａよりも上方に位置する排出口３７からロール体収容部１５が取り付けられている装置本体１２の後側に向かって排出される。この点で、排出搬送機構３３は、記録ヘッド２１により記録が施されたシートＳ（記録媒体）を装置本体１２外に反転させて排出する排出搬送手段として機能する。そして、図２に示すように、排出されたシートＳは、インクが付着した記録面が下方向（重力方向）を向いて装置本体１２の上面１２ａからロール体収容部１５の上側面１５ａに亘って載置される。すなわち、装置本体１２の上面１２ａとロール体収容部１５の上側面１５ａとによって、長尺状のシートＳ（記録媒体）が反転された状態で載置される載置部が構成されている。
【００２５】
また、シートＳの搬送経路における搬送ローラー対３２よりも下流側であって且つ搬送ローラー対３５よりも上流側となる位置には、シートＳを搬送方向と交差する方向（左右方向）に亘って切断可能なカッター３８が設けられている。すなわち、シートＳは、このカッター３８により、連続紙の状態から単票の状態に切断された場合には、切断される毎に一枚ずつ排出搬送機構３３により下流側へ搬送され、装置本体１２の上面１２ａ上に排出されることになる。
【００２６】
また、装置本体１２の上面１２ａにおける排出口３７に対応する位置（図２（ｂ）において、実線矢印Ｂで示す位置）よりもシートＳの排出経路の下流側であって且つ排出口３７から排出されたシートＳの排出方向の先端部が上面１２ａと接触する位置（図２（ｂ）において、実線矢印Ｃで示す位置）よりも上流側となる位置には、上面１２ａの幅方向（左右方向）に沿って延びる凹状の溝３９が形成されている。この溝３９は断面略矩形状に形成されているとともに、幅方向（左右方向）の長さがシートＳの最大シート幅よりも長くなっている。そして、装置本体１２の上面１２ａにシートＳが排出される場合には、溝３９の左右両端部分を除いた開口を覆蓋するようにシートＳが載置される。したがって、ユーザーが溝３９における開口の両端部分から溝３９内に指先を差し入れることにより、上面１２ａ上に載置されているシートＳを容易に取り出すことが可能となっている。
【００２７】
次に、ロール体収容部１５の具体的構成について説明する。
図１に示すように、ロール体収容部１５は、このロール体収容部１５の上側面１５ａを形成するとともに下方に向かって開口する箱体状に形成された上側ケース部４１と、上方に向かって開口する箱体状に形成された下側ケース部４２とを備えている。上側ケース部４１と下側ケース部４２とは、回動軸１６を中心として上下方向に各々回動可能であり、互いに当接することによってロール体Ｒ１を収容する収容空間が内部に形成されるようになっている。
【００２８】
上側ケース部４１は、装置本体１２との接続部分である前側から後側下方に向かって緩やかに傾斜した第１面４１ａと、この第１面４１ａの後端部から後側下方に向かって傾斜する第２面４１ｂとを有している。すなわち、上側ケース部４１の第１面４１ａと第２面４１ｂによりロール体収容部１５の上側面１５ａが形成されている。第２面４１ｂにおける略中央には、ロール体収容部１５の上側面１５ａ上にシートＳが載置された場合に、シートＳの排出方向下流側への移動を規制する断面略Ｌ字状をなす規制手段としてのストッパー４３が設けられている。
【００２９】
ストッパー４３は、そのストッパー４３の一端に設けられた回転軸４３ａを介して上側ケース部４１に対して回動可能に支持されている。そして、ストッパー４３は、上側ケース部４１の第２面４１ｂと面一となる待機位置（図１（ｂ）において実線で示す位置状態）と、シートＳの移動を規制する規制位置（図１（ｂ）において二点破線で示す位置状態）との間で変位するようになっている。すなわち、ストッパー４３は、図１（ｂ）において矢印Ａに示す方向に回動するようになっている。また、下側ケース部４２の後端には、後方に向かって延びるＵ字状の取手部４４が設けられている。
【００３０】
図３（ａ）に示すように、上側ケース部４１は、装置本体１２の上面１２ａよりも下方となる位置で下側ケース部４２と当接する第１回動位置（図３（ａ）において、二点破線で示す位置状態）と、装置本体１２の上面１２ａよりも上方となる位置で下側ケース部４２から上方に離間した第２回動位置（図３（ａ）において、実線で示す位置状態）との間で変位するようになっている。すなわち、上側ケース部４１は、図３（ａ）において白抜き矢印Ｄに示す方向に回動するようになっている。そして、上側ケース部４１を第２回動位置に回動することによって、上側ケース部４１と下側ケース部４２とにより形成されている収容空間を外部に開放するとともに、収容空間に収容されているロール体Ｒ１を容易に新しいロール体に交換できるようになっている。
【００３１】
また、図３（ｂ）に示すように、下側ケース部４２は、開閉扉１７の上端よりも下方となる位置で上側ケース部４１と当接する第３回動位置（図３（ｂ）において、二点破線で示す位置状態）と、開閉扉１７の上端よりも上方となる位置で上側ケース部４１に当接した第４回動位置（図３（ｂ）において、実線で示す位置状態）との間で変位するようになっている。すなわち、下側ケース部４２は、図３（ｂ）において実線矢印Ｅに示す方向に回動するようになっている。そして、下側ケース部４２を第４回動位置に回動することによって、装置本体１２内に配置されているトレイ１８を装置本体１２外に引き出すとともに、トレイ１８に収容されているロール体Ｒ２を新しいロール体に交換できるようになっている。
【００３２】
次に、このように構成したプリンター１１の作用について、シートＳの排出に着目して説明する。ここで、記録が行われるシートＳは、ロール体収容部１５に収容されているロール体Ｒ１から供給されるものとする。また、記録が行われる場合には、ロール体収容部１５に設けられているストッパー４３を規制位置に変位させているものとする。
【００３３】
さて、例えばプリンター１１において記録処理が開始されると、シートＳ１がロール体収容部１５に収容されているロール体Ｒ１から巻き解かれて搬送方向の上流側から下流側へと搬送される。続いて、シートＳ１が記録ヘッド２１と対向する位置まで搬送されると、支持板１９上を摺動するシートＳ１の表面に対して記録ヘッド２１からインクが噴射される。インクが付着したシートＳ１はさらに搬送されて排出搬送機構３３の反転部３４を通過する。反転部３４では、搬送されるシートＳ１の表裏両面が反転される。そして、表裏両面が反転されたシートＳ１は排出口３７から装置本体１２外に排出される。また、シートＳ１はカッター３８により所定の大きさの単票状に切断される。
【００３４】
排出口３７から排出されるシートＳ１は、そのシートＳ１の切断された後端部が装置本体１２外に排出されるまで装置本体１２の上面１２ａ上を排出経路に沿って排出搬送される。ここで、装置本体１２の上面１２ａに形成されている溝３９はシートＳ１が排出経路における上面１２ａと接する位置よりも上流側に位置している。そのため、排出搬送されるシートＳ１の先端部が溝３９へ進入して閊えてしまうことが抑制される。
【００３５】
また、排出経路においてシートＳ１が排出搬送される面が装置本体１２の上面１２ａからロール体収容部１５の上側面１５ａへと切り替わる位置では、装置本体１２の上面１２ａにおける延設部１４ａ，１４ｂが、ロール体収容部１５の上側面１５ａを幅方向（左右方向）から挟むように配置されている。そのため、シートＳ１は、この排出搬送される面が装置本体１２の上面１２ａからロール体収容部１５の上側面１５ａに切り替わる位置を通過するときに、シートＳ１の幅方向の位置が延設部１４ａ，１４ｂにより左右方向から規制されるとともに正確にロール体収容部１５の上側面１５ａ上に導かれる。
【００３６】
排出経路の下流側に位置するロール体収容部１５の上側面１５ａは、排出経路の上流側に位置する装置本体１２の上面１２ａよりも下方に位置している。そのため、シートＳ１の先端部が装置本体１２の上面１２ａよりも下流側に排出搬送されたシートＳ１は、搬送ローラーから受ける搬送力に加え、シートＳ１自身が有する重力（自重）によって排出経路の下流側へと移動する。
【００３７】
そして、シートＳ１は装置本体１２の上面１２ａ及びロール体収容部１５の上側面１５ａに亘って排出方向の上流側から下流側に長く延びるように載置される。そして、この場合、載置されているシートＳ１の排出方向における先端部はストッパー４３に当接しているため、シートＳ１はストッパー４３よりも更に排出経路の下流側に移動することが抑制される。
【００３８】
上記実施形態によれば、以下のような効果を得ることができる。
（１）記録が施されて装置本体１２外に排出された長尺状のシートＳを装置本体１２の上面１２ａとロール体収容部１５における鉛直方向の上側となる上側面１５ａとに亘って載置することができるため、排出されたシートＳを載置するための載置台を装置本体１２に対してシートＳの搬送方向に連続するように設置する必要がなくなる。したがって、シートＳの搬送方向におけるプリンター１１の大型化を抑制することができる。
【００３９】
（２）シートＳが排出される装置本体１２の上面１２ａ及びロール体収容部１５の上側面１５ａにおいて、シートＳの排出経路の上流側に位置する装置本体１２の上面１２ａよりも下流側に位置するロール体収容部１５の上側面１５ａの方が鉛直方向下方に位置する。そのため、長尺状のシートＳを排出する場合であっても、シートＳは自身が有する重力によって排出方向の下流側に移動することができる。したがって、長尺状のシートＳを円滑に排出することができる。
【００４０】
（３）装置本体１２の上面１２ａにおける延設された延設部１４ａ，１４ｂが、排出経路に沿って排出されるシートＳの幅方向の位置を規制するガイドとして機能するため、長尺状のシートＳを正確にロール体収容部１５の上側面１５ａに導き且つ載置することができる。
【００４１】
（４）ロール体収容部１５の上側ケース部４１を第２回動位置に回動させることにより、ロール体収容部１５に収容されているロール体Ｒ１の交換を容易に行うことができる。したがって、ロール体収容部１５は、その上側ケース部４１を第１回動位置と第２回動位置との間で回動させることにより、シートＳの排出時における載置部としての機能と、長尺状のシートＳ１をロール状に巻き重ねたロール体Ｒ１を着脱交換の容易性を確保しつつ収容する収容部としての機能を両立することができる。
【００４２】
（５）装置本体１２の上面１２ａ及びロール体収容部１５の上側面１５ａ上に複数の長尺状のシートＳを積層する場合であっても、ストッパー４３によって載置されているシートＳが排出中のシートＳの移動に伴ってさらに排出経路の下流側に移動することが規制される。したがって、載置されたシートＳが排出経路の下流側から落下することを抑制することができる。
【００４３】
（６）装置本体１２の上面１２ａには凹状の溝３９が形成されているため、ユーザーは装置本体１２の上面１２ａ上に載置されたシートＳを容易に取り出すことができる。
なお、上記実施形態は以下のように変更してもよい。
【００４４】
・上記実施形態では装置本体１２内にロール体Ｒ２を設けるとともにロール体Ｒ２からもシートＳを供給するように構成したが、装置本体１２内にロール体Ｒ２を設けなくてもよい。
【００４５】
・記録ヘッド２１はシートＳ１の搬送平面に沿って往復移動しながらインクを噴射するシリアル方式のものに限らず、例えば、シートＳの幅方向に延びるラインヘッドタイプなどであってもよい。
【００４６】
・排出口３７は装置本体１２の上面１２ａよりも上方に位置しているものに限らず、例えば上面１２ａに設けられていてもよい。
・反転部３４は案内板３４ａ，３４ｂで構成されているものに限らず、例えば搬送ローラーで構成されていてもよい。また、排出搬送機構３３は装置本体１２外に設けられていてもよい。
【００４７】
・装置本体１２の上面１２ａは延設部１４ａ，１４ｂを有しているが、延設部１４ａ，１４ｂを有していなくてもよい。また、上面１２ａ上にシートＳの幅方向の位置を規制する規制部材を設けてもよい。
【００４８】
・溝３９は断面略矩形状のものに限らず、例えば、断面円形状や断面Ｕ字状、断面Ｖ字状のものであってもよい。また、装置本体１２の上面１２ａに複数の溝３９を設けてもよい。また、装置本体１２の上面１２ａに溝３９を設けなくてもよい。
【００４９】
・ストッパー４３は上側ケース部４１の第２面４１ｂと面一となるように形成されていなくてもよい。また、回動できなくてもよい。また、取り外し可能に構成されていてもよい。さらに、ロール体収容部１５にストッパー４３を設けなくてもよい。
【００５０】
・ロール体収容部１５は上側ケース部４１及び下側ケース部４２がそれぞれ回動するように構成されているもの限らず、上側ケース部４１のみが回動してもよい。また、ロール体収容部１５は回動しなくてもよい。
【００５１】
・ロール体収容部１５の上側面１５ａは第１面４１ａ及び第２面４１ｂの二面で構成されているものに限らず、一面で構成されていてもよい。また、第１面４１ａ及び第２面４１ｂは、後側下方に傾斜しているものに限らず、例えば、装置本体１２の上面１２ａに対して平行であってもよい。また、後側上方に傾斜していてもよい。
【００５２】
・上記実施形態では、記録装置をインクジェット式プリンター１１に具体化したが、インク以外の他の液体を噴射したり吐出したりする記録装置を採用してもよい。微小量の液滴を吐出させる記録ヘッド等を備える各種の記録装置に流用可能である。なお、液滴とは、上記記録装置から吐出される液体の状態をいい、粒状、涙状、糸状に尾を引くものも含むものとする。また、ここでいう液体とは、記録装置が噴射させることができるような材料であればよい。例えば、物質が液相であるときの状態のものであればよく、粘性の高い又は低い液状体、ゾル、ゲル水、その他の無機溶剤、有機溶剤、溶液、液状樹脂、液状金属（金属融液）のような流状態、また物質の一状態としての液体のみならず、顔料や金属粒子などの固形物からなる機能材料の粒子が溶媒に溶解、分散又は混合されたものなどを含む。また、液体の代表的な例としては上記実施形態で説明したようなインクや液晶等が挙げられる。ここで、インクとは一般的な水性インク及び油性インク並びにジェルインク、ホットメルトインク等の各種液体組成物を包含するものとする。記録装置の具体例としては、例えば液晶ディスプレイ、ＥＬ（エレクトロルミネッセンス）ディスプレイ、面発光ディスプレイ、カラーフィルタの製造などに用いられる電極材や色材などの材料を分散又は溶解のかたちで含む液体を噴射する記録装置、バイオチップ製造に用いられる生体有機物を噴射する記録装置、精密ピペットとして用いられ試料となる液体を噴射する記録装置、捺染装置やマイクロディスペンサ等であってもよい。さらに、時計やカメラ等の精密機械にピンポイントで潤滑油を噴射する記録装置、光通信素子等に用いられる微小半球レンズ（光学レンズ）などを形成するために紫外線硬化樹脂等の透明樹脂液を基板上に噴射する記録装置、基板などをエッチングするために酸又はアルカリ等のエッチング液を噴射する記録装置を採用してもよい。そして、これらのうちいずれか一種の記録装置に本発明を適用することができる。
【符号の説明】
【００５３】
Ｒ…ロール体、Ｓ…シート、１１…記録装置としてのプリンター、１２…装置本体、１２ａ…上面、１４ａ，１４ｂ…延設部、１５…ロール体収容部、１５ａ…上側面、２１…記録ヘッド、３３…排出搬送手段としての排出搬送機構、３４…反転部、３７…排出口、３９…溝、４１…上側ケース部、４１ａ…第１面、４１ｂ…第２面、４２…下側ケース部、４３…規制手段としてのストッパー。
【図１】
0005621356.tif 000002
【図２】
0005621356.tif 000003
【図３】
0005621356.tif 000004